(57)【要約】【課題】  光スペクトルの利用効率を改善する。【解決手段】  第１の電気ＩＱ多重装置（３４ａ，３６ａ，３８ａ，４０ａ，４２ａ）が、第１のデータ信号（ｃｈ１（Ａ））及び第２のデータ信号（ｃｈ２（Ａ））を電気ＩＱ多重する。第２の電気ＩＱ多重装置（３４ｂ，３６ｂ，３８ｂ，４０ｂ，４２ｂ）が、第３のデータ信号（ｃｈ１（Ｂ））及び第４のデータ信号（ｃｈ２（Ｂ））を電気ＩＱ多重する。レーザ光源（４４）が、コヒーレントレーザ光を発生する。光ＩＱ多重装置（４６）が、レーザ光源（４４）の出力する当該コヒーレントレーザ光を使って、第１及び第２の電気ＩＱ多重装置の出力電気信号を光ＩＱ多重する。【選択図】  図１
2008211713.tif 000002
【特許請求の範囲】
【請求項１】
光送信装置（１０，１１０）から光受信装置（１４，１１４）に光伝送路（１２，１１２）を介して第１、第２、第３及び第４のデータ信号（ｃｈ１（Ａ），ｃｈ２（Ａ），ｃｈ１（Ｂ），ｃｈ２（Ｂ）；Ｄ１，Ｄ２，Ｄ３，Ｄ４）を伝送する光伝送システムであって、
当該光送信装置（１０，１１０）が、
第１のデータ信号（ｃｈ１（Ａ），Ｄ１）及び第２のデータ信号（ｃｈ２（Ａ），Ｄ２）を電気ＩＱ多重する第１の電気ＩＱ多重装置（３８ａ，４０ａ，４２ａ；１３８ａ，１４０ａ，１４２ａ）と、
第３のデータ信号（ｃｈ１（Ｂ），Ｄ３）及び第４のデータ信号（ｃｈ２（Ｂ），Ｄ４）を電気ＩＱ多重する第２の電気ＩＱ多重装置（３８ｂ，４０ｂ，４２ｂ；１３８ｂ，１４０ｂ，１４２ｂ）と、
コヒーレントレーザ光を発生するレーザ光源（４４，１４４）と、
当該レーザ光源の出力する当該コヒーレントレーザ光を使って、当該第１及び第２の電気ＩＱ多重装置の出力電気信号を光ＩＱ多重する光ＩＱ多重装置（４６，１４６）
とを具備し、
当該光受信装置（１４，１１４）が、
当該光伝送路（１２，１１２）から入力する光信号を光ＩＱ分離し、第１の受信電気信号（Ｓａ）及び第２の受信電気信号（Ｓｂ）を出力する光ＩＱ分離装置（６２，７２〜８８；１６０）と、
当該第１の受信電気信号から、当該第１のデータ信号（ｃｈ１（Ａ），Ｄ１）に対応する第１の受信データ信号、及び当該第２のデータ信号（ｃｈ２（Ａ），Ｄ２）に対応する第２の受信データ信号を分離する第１の電気ＩＱ分離装置（９０，１６２）と、
当該第２の受信電気信号から、当該第３のデータ信号（ｃｈ１（Ｂ），Ｄ３）に対応する第３の受信データ信号、及び当該第４のデータ信号（ｃｈ２（Ｂ），Ｄ４）に対応する第４の受信データ信号を分離する第２の電気ＩＱ分離装置（９２，１６４）
とを具備することを特徴とする光伝送システム。
【請求項２】
当該光ＩＱ多重装置が、
第１アームと、
第２アームと、
当該レーザ光源の出力する当該コヒーレントレーザ光を第１成分光と第２成分光に分割し、当該第１の成分光を当該第１アームに供給し、当該第２成分光を当該第２アームに供給する分波器（４８，１４８）と、
当該第１アーム上に配置され、当該第１成分光を当該第１の電気ＩＱ多重装置の出力電気信号に従い変調する第１の変調器（５０，１５０）と、
当該第２アーム上に配置され、当該第２成分光を当該第２の電気ＩＱ多重装置の出力電気信号に従い変調する第２の変調器（５２，１５２）と、
当該第２アーム上に配置され、光位相をπ／２だけシフトする位相シフタ（５４，１５４）と、
当該第１及び第２アームからの光を合波する光合波器（５６，１５６）
とを具備することを特徴とする請求項１に記載の光伝送システム。
【請求項３】
当該光ＩＱ分離装置が、
光ローカル発振器（６４）と、
当該光伝送路からの入力光と、当該光ローカル発振器（６４）の出力光をコヒーレント混合して互いに直交する第１及び第２の干渉光を生成し、当該第１の干渉光から互いに直交する第１及び第２の偏波成分を分離出力し、当該第２の干渉光から互いに直交する第３及び第４の偏波成分を分離出力するコヒーレントミキサ（６２）と、
当該第１の偏波成分及び当該第３の偏波成分を差動受信する第１の差動受信器（７２，７４，７６）と、
当該第２の偏波成分及び当該第４の偏波成分を差動受信する第２の差動受信器（７８，８０，８２）と、
とを具備することを特徴とする請求項１又は２に記載の光伝送システム。
【請求項４】
更に、当該光ＩＱ分離装置の出力信号を等化する等化装置（８４，８６，８８）を具備することを特徴とする請求項１乃至３の何れか１項に記載の光伝送システム。
【請求項５】
更に、当該第１及び第２の電気ＩＱ分離装置の出力信号を等化する等化装置（３８８ａ，３８８ｂ，３９０ａ，３９０ｂ，３９２）を具備することを特徴とする請求項１乃至３の何れか１項に記載の光伝送システム。
【請求項６】
更に、
当該第１のデータ信号をアナログ信号に変換する第１のＤ／Ａ変換器（３４ａ，１３４ａ）と、
当該第２のデータ信号をアナログ信号に変換する第２のＤ／Ａ変換器（３６ａ，１３６ａ）と、
当該第３のデータ信号をアナログ信号に変換する第３のＤ／Ａ変換器（３４ｂ，１３４ｂ）と、
当該第４のデータ信号をアナログ信号に変換する第４のＤ／Ａ変換器（３６ｂ，１３６ｂ）
とを具備し、
当該第１の電気ＩＱ多重装置が、
当該第１のＤ／Ａ変換器の出力信号に第１のコサイン波を乗算する第１の乗算器（３８ａ，１３８ａ）と、
当該第２のＤ／Ａ変換器の出力信号に第１のサイン波を乗算する第２の乗算器（４０ａ，１４０ａ）と、
当該第１及び第２の乗算器の出力信号を多重する第１の多重器（４２ａ，１４２ａ）
とを具備し、
当該第２の電気ＩＱ多重装置が、
当該第３のＤ／Ａ変換器の出力信号に第２のコサイン波を乗算する第３の乗算器（３８ｂ，１３８ｂ）と、
当該第４のＤ／Ａ変換器の出力信号に第２のサイン波を乗算する第４の乗算器（４０ｂ，１４０ｂ）と、
当該第３及び第４の乗算器の出力信号を多重する第２の多重器（４２ｂ，１４２ｂ）
とを具備することを特徴とする請求項１乃至５の何れか１項に記載の光伝送システム。
【請求項７】
当該光送信装置（１０）が、第１の原データ（ＤＡＴＡ−Ａ）からＯＦＤＭ変調により当該第１及び第２のデータ信号（ｃｈ１（Ａ），ｃｈ２（Ａ））を生成する第１のＯＦＤＭ変調器（２０ａ，２８ａ）と、第２の原データ（ＤＡＴＡ−Ａ）からＯＦＤＭ変調により当該第３及び第４のデータ信号（ｃｈ１（Ｂ），ｃｈ２（Ｂ））を生成する第２のＯＦＤＭ変調器（２０ｂ，２８ｂ）とを具備し、
当該光受信装置（１４）が、
当該第１の電気ＩＱ分離装置（９０）から出力される当該第１及び第２の受信データ信号からＯＦＤＭ復調により当該第１の原データを復元する第１のＯＦＤＭ復調器（９４）と、
当該第２の電気ＩＱ分離装置（９２）から出力される当該第３及び第４の受信データ信号からＯＦＤＭ復調により当該第２の原データを復元する第２のＯＦＤＭ復調器（９６）
とを具備することを特徴とする請求項１乃至６の何れか１項に記載の光伝送システム。
【請求項８】
第１のデータ信号（Ｄ１）及び第２のデータ信号（Ｄ２）を電気ＩＱ多重して、第１の電気ＩＱ多重信号を生成する第１の電気ＩＱ多重ステップ（１３８ａ，１４０ａ，１４２ａ）と、
第３のデータ信号（Ｄ３）及び第４のデータ信号（Ｄ４）を電気ＩＱ多重して、第２の電気ＩＱ多重信号を生成する第２の電気ＩＱ多重ステップ（１３８ｂ，１４０ｂ，１４２ｂ）と、
レーザ光源（１４４）の出力するコヒーレントレーザ光を使って、当該第１及び第２の電気ＩＱ多重信号を光ＩＱ多重し、光ＩＱ多重信号を生成する光ＩＱ多重ステップ（１４６）と、
当該光ＩＱ多重信号を光ＩＱ分離し、第１の受信電気信号（Ｓａ）及び第２の受信電気信号（Ｓｂ）を出力する光ＩＱ分離ステップ（１６０）と、
当該第１の受信電気信号から当該第１のデータ信号（Ｄ１）及び当該第２のデータ信号（Ｄ２）を分離する第１の電気ＩＱ分離ステップ（１６２）と、
当該第２の受信電気信号から当該第３のデータ信号（Ｄ３）及び当該第４のデータ信号（Ｄ４）を分離する第２の電気ＩＱ分離ステップ（１６４）
とを具備することを特徴とする光伝送方法。
【請求項９】
当該光ＩＱ分離ステップが、当該第１の受信電気信号（Ｓａ）及び第２の受信電気信号（Ｓｂ）を等化する等化ステップを具備することを特徴とする請求項８に記載の光伝送方法。
【請求項１０】
更に、当該第１及び第２の電気ＩＱ分離ステップの出力信号を等化する等化ステップを具備することを特徴とする請求項８に記載の光伝送方法。
【請求項１１】
第１のデータ信号（ｃｈ１（Ａ），Ｄ１）及び第２のデータ信号（ｃｈ２（Ａ），Ｄ２）を電気ＩＱ多重する第１の電気ＩＱ多重装置（３８ａ，４０ａ，４２ａ；１３８ａ，１４０ａ，１４２ａ）と、
第３のデータ信号（ｃｈ１（Ｂ），Ｄ３）及び第４のデータ信号（ｃｈ２（Ｂ），Ｄ４）を電気ＩＱ多重する第２の電気ＩＱ多重装置（３８ｂ，４０ｂ，４２ｂ；１３８ｂ，１４０ｂ，１４２ｂ）と、
コヒーレントレーザ光を発生するレーザ光源（４４，１４４）と、
当該レーザ光源の出力する当該コヒーレントレーザ光を使って、当該第１及び第２の電気ＩＱ多重装置の出力電気信号を光ＩＱ多重する光ＩＱ多重装置（４６，１４６）
とを具備することを特徴とする光送信装置。
【請求項１２】
当該光ＩＱ多重装置が、
第１アームと、
第２アームと、
当該レーザ光源の出力する当該コヒーレントレーザ光を第１成分光と第２成分光に分割し、当該第１の成分光を当該第１アームに供給し、当該第２成分光を当該第２アームに供給する分波器（４８，１４８）と、
当該第１アーム上に配置され、当該第１成分光を当該第１の電気ＩＱ多重装置の出力電気信号に従い変調する第１の変調器（５０，１５０）と、
当該第２アーム上に配置され、当該第２成分光を当該第２の電気ＩＱ多重装置の出力電気信号に従い変調する第２の変調器（５２，１５２）と、
当該第２アーム上に配置され、光位相をπ／２だけシフトする位相シフタ（５４，１５４）と、
当該第１及び第２アームからの光を合波する光合波器（５６，１５６）
とを具備することを特徴とする請求項１１に記載の光送信装置。
【請求項１３】
更に、
当該第１のデータ信号をアナログ信号に変換する第１のＤ／Ａ変換器（３４ａ，１３４ａ）と、
当該第２のデータ信号をアナログ信号に変換する第２のＤ／Ａ変換器（３６ａ，１３６ａ）と、
当該第３のデータ信号をアナログ信号に変換する第３のＤ／Ａ変換器（３４ｂ，１３４ｂ）と、
当該第４のデータ信号をアナログ信号に変換する第４のＤ／Ａ変換器（３６ｂ，１３６ｂ）
とを具備し、
当該第１の電気ＩＱ多重装置が、
当該第１のＤ／Ａ変換器の出力信号に第１のコサイン波を乗算する第１の乗算器（３８ａ，１３８ａ）と、
当該第２のＤ／Ａ変換器の出力信号に第１のサイン波を乗算する第２の乗算器（４０ａ，１４０ａ）と、
当該第１及び第２の乗算器の出力信号を多重する第１の多重器（４２ａ，１４２ａ）
とを具備し、
当該第２の電気ＩＱ多重装置が、
当該第３のＤ／Ａ変換器の出力信号に第２のコサイン波を乗算する第３の乗算器（３８ｂ，１３８ｂ）と、
当該第４のＤ／Ａ変換器の出力信号に第２のサイン波を乗算する第４の乗算器（４０ｂ，１４０ｂ）と、
当該第３及び第４の乗算器の出力信号を多重する第２の多重器（４２ｂ，１４２ｂ）
とを具備することを特徴とする請求項１１又は１２に記載の光送信装置。
【請求項１４】
更に、
第１の原データ（ＤＡＴＡ−Ａ）からＯＦＤＭ変調により当該第１及び第２のデータ信号（ｃｈ１（Ａ），ｃｈ２（Ａ））を生成する第１のＯＦＤＭ変調器（２０ａ，２８ａ）と、
第２の原データ（ＤＡＴＡ−Ｂ）からＯＦＤＭ変調により当該第３及び第４のデータ信号（ｃｈ１（Ｂ），ｃｈ２（Ｂ））を生成する第２のＯＦＤＭ変調器（２０b，２８b）
とを具備することを特徴とする請求項１１乃至１３の何れか１項に記載の光送信装置。
【発明の詳細な説明】
【技術分野】
【０００１】
本発明は、光伝送システム、光伝送方法及び光送信装置に関する。
【背景技術】
【０００２】
多値変調方式は、２値変調方式に比べて数々のきわめて重要な利点を有している。同一の有効データ速度では、多値変調方式の信号速度のほうが低くなるので、多値変調方式は、偏波モード分散（ＰＭＤ）や波長分散（ＣＤ）のように信号間干渉（ＩＳＩ）の原因となる機能障害に対してより高い耐性を有している。さらに、多値変調方式の光スペクトルは非常に小さいので、ＷＤＭ（波長分割多重）チャネル間隔をより狭くすることが可能となり、その結果、より高いスペクトル効率を実現できる。
【０００３】
光ファイバ伝送でスペクトル効率を増加させると期待されている技術の１つに、ＲＦドメインにおける副搬送波多重（SubCarrier Multiplexing : SCM）の技術がある（非特許文献１，２）。もう１つの興味深い方法は、直交周波数分割多重（Orthogonal Frequency Division Multiplexing : OFDM）の使用である（非特許文献３，４）。
【非特許文献１】J. Chen et al., "An integrated CMOS transceiver for a 40Gb/s SCM optical communication system", in proc. IEEE 2005 Custom integrated circuits conference, 7-6, pp. 135-138.
【非特許文献２】S. Randel et al., "1 Gbit/s transmission with 6.3 bit/s/Hz spectral efficiency in a 100 m standard 1 mm step-index plastic optical fibre link using adaptive multiple sub-carrier modulation", in proc. ECOC PD Th4.4.1, pp. 41-42.
【非特許文献３】A. Lowery et al., "Orthogonal frequency division multiplexing for adaptive dispersion compensation in long haul WDM systems", in proc. OFC PDP39.
【非特許文献４】I. Djordjevic et al., "Orthogonal frequency division multiplexing for high-speed optical transmission", Optics Express, vol. 14, no. 9, pp. 3767-3775.
【発明の開示】
【発明が解決しようとする課題】
【０００４】
ＳＣＭ及びＯＦＤＭは、従来の変調方式に比べれば利用可能な帯域をかなり有効に使用できるものの、無限のスペクトル効率を提供できるわけではない。
【０００５】
本発明は、高い、例えば、２倍のスペクトル効率を簡易な構成で実現できる光伝送システム、光伝送方法及び光送信装置を提示することを目的とする。
【課題を解決するための手段】
【０００６】
本発明に係る光伝送システムは、光送信装置から光受信装置に光伝送路を介して第１、第２、第３及び第４のデータ信号を伝送する光伝送システムである。特徴的には、光送信装置が、第１のデータ信号及び第２のデータ信号を電気ＩＱ多重する第１の電気ＩＱ多重装置と、第３のデータ信号及び第４のデータ信号を電気ＩＱ多重する第２の電気ＩＱ多重装置と、コヒーレントレーザ光を発生するレーザ光源と、当該レーザ光源の出力する当該コヒーレントレーザ光を使って、当該第１及び第２の電気ＩＱ多重装置の出力電気信号を光ＩＱ多重する光ＩＱ多重装置とを具備する。また、光受信装置が、当該光伝送路から入力する光信号を光ＩＱ分離し、第１の受信電気信号及び第２の受信電気信号を出力する光ＩＱ分離装置と、当該第１の受信電気信号から、当該第１のデータ信号に対応する第１の受信データ信号、及び当該第２のデータ信号に対応する第２の受信データ信号を分離する第１の電気ＩＱ分離装置と、当該第２の受信電気信号から、当該第３のデータ信号に対応する第３の受信データ信号、及び当該第４のデータ信号に対応する第４の受信データ信号を分離する第２の電気ＩＱ分離装置とを具備する。
【０００７】
本発明に係る光伝送方法は、第１のデータ信号及び第２のデータ信号を電気ＩＱ多重して、第１の電気ＩＱ多重信号を生成する第１の電気ＩＱ多重ステップと、第３のデータ信号及び第４のデータ信号を電気ＩＱ多重して、第２の電気ＩＱ多重信号を生成する第２の電気ＩＱ多重ステップと、レーザ光源の出力するコヒーレントレーザ光を使って、当該第１及び第２の電気ＩＱ多重信号を光ＩＱ多重し、光ＩＱ多重信号を生成する光ＩＱ多重ステップと、当該光ＩＱ多重信号を光ＩＱ分離し、第１の受信電気信号及び第２の受信電気信号を出力する光ＩＱ分離ステップと、当該第１の受信電気信号から当該第１のデータ信号及び当該第２のデータ信号を分離する第１の電気ＩＱ分離ステップと、当該第２の受信電気信号から当該第３のデータ信号及び当該第４のデータ信号を分離する第２の電気ＩＱ分離ステップとを具備することを特徴とする。
【０００８】
本発明に係る光送信装置は、第１のデータ信号及び第２のデータ信号を電気ＩＱ多重する第１の電気ＩＱ多重装置と、第３のデータ信号及び第４のデータ信号を電気ＩＱ多重する第２の電気ＩＱ多重装置と、コヒーレントレーザ光を発生するレーザ光源と、当該レーザ光源の出力する当該コヒーレントレーザ光を使って、当該第１及び第２の電気ＩＱ多重装置の出力電気信号を光ＩＱ多重する光ＩＱ多重装置とを具備することを特徴とする。
【発明の効果】
【０００９】
本発明によれば、電気ＩＱ多重と光ＩＱ多重を併用することで、光信号の振幅のみならず光位相を併用でき、光スペクトルの利用効率が向上する。
【発明を実施するための最良の形態】
【００１０】
以下、図面を参照して、本発明の実施例を詳細に説明する。
【実施例１】
【００１１】
図１は、本発明の一実施例である光伝送システムの光送信装置の概略構成ブロック図を示し、図２は、光受信装置の概略構成ブロック図を示す。光送信装置１０は、データＤＡＴＡ−Ａ，ＤＡＴＡ−Ｂを搬送する光信号を生成して、光ファイバ伝送路１２に出力する。光受信装置１４は、光ファイバ伝送路１２から光信号を受信し、データＤＡＴＡ−Ａ，ＤＡＴＡ−Ｂを復元する。
【００１２】
図１に示す光送信装置１０の構成と動作を説明する。この実施例は、特徴的には電気ＩＱ多重及び光ＩＱ多重を併用する。
【００１３】
ＯＦＤＭ変調器２０ａは、データＤＡＴＡ−ＡをＯＦＤＭ変調する。具体的には、デジタル変調器２２ａが、データＤＡＴＡ−Ａを４−ＱＡＭ、１６−ＱＡＭ又は６４−ＱＡＭ等の多値変調方式でデジタル変調する。逆フーリエ変換（ＩＦＦＴ）回路２４ａが、デジタル変調器２２ａの複数チャネルの出力を逆フーリエ変換する。パラレル／シリアル（Ｐ／Ｓ）変換器２６ａが、ＩＦＦＴ回路２４ａの複数チャネルの出力を１つのシリアル信号に変換する。
【００１４】
スイッチ２８ａは、一定周期で交互にＰ／Ｓ変換器２６ａの出力を２チャネルに分離し、それぞれをバッファ３０ａ，３２ａに供給する。バッファ３０ａ，３２ａは、入力データを１／２のレートで出力する。スイッチ２８ａ及びバッファ３０ａ，３２ａが、シリアルデータを並列の２チャネルｃｈ１（Ａ），ｃｈ２（Ａ）に分離する装置として機能する。この機能をＰ／Ｓ変換器２６ａに組み込んでもよいことは明らかである。
【００１５】
Ｄ／Ａ変換器３４ａは、バッファ３０ａからのチャネルｃｈ１（Ａ）のデータ信号をアナログ信号に変換し、Ｄ／Ａ変換器３６ａは、バッファ３２ａからのチャネルｃｈ２（Ａ）のデータ信号をアナログ信号に変換する。乗算器３８ａは、Ｄ／Ａ変換器３４ａの出力信号にコサイン波ｃｏｓ（ωｔ）を乗算することにより、Ｄ／Ａ変換器３４ａの出力信号をアップコンバートする。また、乗算器４０ａは、Ｄ／Ａ変換器３６ａの出力信号にサイン波ｓｉｎ（ωｔ）を乗算することにより、Ｄ／Ａ変換器３６ａの出力信号をアップコンバートする。混合器４２ａは、乗算器３８ａ，４０ａの出力信号を混合又は多重する。これで、チャネルｃｈ１（Ａ），ｃｈ２（Ａ）のデータが、電気的に同相（Ｉ）成分と直交（Ｑ）成分で多重される。
【００１６】
同様に、ＯＦＤＭ変調器２０ｂが、データＤＡＴＡ−ＢをＯＦＤＭ変調する。具体的には、デジタル変調器２２ｂが、データＤＡＴＡ−Ｂを４−ＱＡＭ、１６−ＱＡＭ又は６４−ＱＡＭ等の多値変調方式でデジタル変調する。逆フーリエ変換（ＩＦＦＴ）回路２４ｂが、デジタル変調器２２ｂの複数チャネルの出力を逆フーリエ変換する。パラレル／シリアル（Ｐ／Ｓ）変換器２６ｂが、ＩＦＦＴ回路２４ｂの複数チャネルの出力を１つのシリアル信号に変換する。
【００１７】
スイッチ２８ｂは、一定周期で交互にＰ／Ｓ変換器２６ｂの出力を２チャネルに分離し、それぞれをバッファ３０ｂ，３２ｂに供給する。バッファ３０ｂ，３２ｂは、入力データを１／２のレートで出力する。スイッチ２８ｂ及びバッファ３０ｂ，３２ｂが、シリアルデータを並列の２チャネルｃｈ１（Ｂ），ｃｈ２（Ｂ）に分離する装置として機能する。この機能をＰ／Ｓ変換器２６ｂに組み込んでもよいことは明らかである。
【００１８】
Ｄ／Ａ変換器３４ｂは、バッファ３０ｂからのチャネルｃｈ１（Ｂ）のデータをアナログ信号に変換し、Ｄ／Ａ変換器３６ｂは、バッファ３２ｂからのチャネルｃｈ２（Ｂ）のデータをアナログ信号に変換する。乗算器３８ｂは、Ｄ／Ａ変換器３４ｂの出力信号にコサイン波ｃｏｓ（ωｔ）を乗算することにより、Ｄ／Ａ変換器３４ｂの出力信号をアップコンバートする。また、乗算器４０ｂは、Ｄ／Ａ変換器３６ｂの出力信号にサイン波ｓｉｎ（ωｔ）を乗算することにより、Ｄ／Ａ変換器３６ｂの出力信号をアップコンバートする。混合器４２ｂは、乗算器３８ｂ，４０ｂの出力信号を混合又は多重する。これで、チャネルｃｈ１（Ｂ），ｃｈ２（Ｂ）のデータが、電気的に同相（Ｉ）成分と直交（Ｑ）成分で多重される。
【００１９】
データＤＡＴＡ−Ａに対する電気ＩＱ多重の角周波数ωは、データＤＡＴＡ−Ｂに対する電気ＩＱ多重の角周波数ωと一致しても、一致しなくてもどちらでもよい。
【００２０】
レーザダイオード（ＬＤ）４４は光キャリアとなるコヒーレントなレーザ光を発生し、その出力光は、マッハツェンダ（ＭＺ）干渉計構造を利用する光ＩＱ多重装置４６に供給される。即ち、光ＩＱ多重装置４６の光分波器４８が、ＬＤ４４の出力光を２分割して、一方を第１のアーム上の光変調器５０に印加し、他方を第２のアーム上の光変調器５２に印加する。第２のアーム上には、光位相をπ／２だけシフトする位相シフタ５４が配置される。光変調器５０は、混合器４２ａの出力電気信号Ｓａに従い、光分波器４８からのレーザ光を変調する。他方、光変調器５２は、混合器４２ｂの出力電気信号Ｓｂに従い、光分波器４８からのレーザ光を変調する。位相シフタ５４は、光変調器５２の出力光の光位相をπ／２だけシフトする。これで、光合波器５６に入力する２つの信号光は、その光位相差が９０度になり、互いに直交する。光合波器５６は、光変調器５０の出力光と位相シフタ５４の出力光を合波する。これにより、信号Ｓａを光Ｉ成分で搬送し、信号Ｓｂを光Ｑ成分で搬送する光ＩＱ多重信号が生成され、この光ＩＱ多重信号が、光ファイバ伝送路１２に出力される。
【００２１】
光変調器５０，５２は、リチウムニオブ結晶等の光学結晶、半導体、又は、これらの光学素子を使用するＭＺ干渉計型光変調器であってもよい。
【００２２】
光ファイバ伝送路１２を伝搬した光信号は、光受信装置１４に入力する。図２を参照して、光受信装置１４の構成と動作を説明する。光ＩＱ多重伝送では、情報が位相と振幅の両方でコード化されており、従って、位相検波が必要になる。そのような位相検波は、受信光を局所発振器の出力と混合して位相の情報を回復させるコヒーレント検波器で実現可能である。コヒーレント検波はヘテロダインでもホモダインでも使用可能であるが、ここでは、ホモダイン検波の実施例を示す。
【００２３】
光ファイバ伝送路１２からの信号光は入力端子６０からコヒーレントミキサ６２に入力する。コヒーレントミキサ６２にはまた、光ローカル発振器６４のコヒーレント出力光が入射する。光ローカル発振器６４は、レーザダイオード４４のレーザ波長に近似した波長のコヒーレントレーザ光を発生するレーザダイオードからなる。
【００２４】
コヒーレントミキサ６２の光合分波器６６は、入力端子６０からの信号光と、光ローカル発振器６４からのコヒーレント光とを合分波し、０度の干渉成分をビームスプリッタ６８に、９０度の干渉成分をビームスプリッタ７０に供給する。ビームスプリッタ６８は、光合分波器６６からの０度の干渉光を透過及び反射し、透過光をフォトダイオード７２に、反射光をフォトダイオード７８に供給する。また、ビームスプリッタ７０は、光合分波器６６からの９０度の干渉光を透過及び反射し、透過光をフォトダイオード７４に、反射光をフォトダイオード８０に供給する。
【００２５】
差動増幅器７６は、フォトダイオード７２，７４の出力を差動増幅する。フォトダイオード７２，７４及び差動増幅器７６は、バランスト光受信器を構成する。同様に、差動増幅器８２は、フォトダイオード７８，８０の出力を差動増幅する。フォトダイオード７８，８０及び差動増幅器８２もまた、バランスト光受信器を構成する。
【００２６】
コヒーレントミキサ６２，光ローカル発振器６４，フォトダイオード７２，７４，７８，８０，及び差動増幅器７６，８２が、光ＩＱ多重で伝送される２つの信号Ｓａ，Ｓｂを分離する光ＩＱ分離装置として機能する。但し、光ローカル発振器６４が信号光とは独立に動作しており、光ＩＱ多重伝送特性を等化する手段が必要となる。光ＩＱ多重の等化回路として、Ａ／Ｄ変換器８４，８６及びデジタル信号処理装置８８を設ける。Ａ／Ｄ変換器８４は差動増幅器７６のアナログ出力をデジタル信号に変換する。Ａ／Ｄ変換器８６は差動増幅器８２のアナログ出力をデジタル信号に変換する。デジタル信号処理装置（ＤＳＰ）８８は、Ａ／Ｄ変換器８４，８６の出力データをデジタル処理で等化することにより、光ＩＱ多重のＩ成分を示す信号Ｓａと、Ｑ成分を示す信号Ｓｂを復元する。
【００２７】
なお、光ＰＬＬ回路を設けて、差動増幅器７６又は同８２の出力により光ローカル発振器６４の波長と光位相を帰還制御してもよい。
【００２８】
コヒーレントミキサ６２、光ローカル発振器６４、フォトダイオード７２，７４，７８，８０、差動増幅器７６，８２、Ａ／Ｄ変換器８４，８６及びＤＳＰ８８は、光ＩＱ分離装置として動作する。このような光ＩＱ分離動作は、コヒーレント受信器として周知である（例えば、G. Charlet et al. ,"Transmission of 40Gb/s QPSK with Coherent Detection over Ultra-Long Distance Improved by Nonlinearity Mitigation", ECOC 2006 Proceedings, Vol. 6,Paper Th4.3.4, pp. 35-36参照）。
【００２９】
電気ＩＱ分離装置９０は、ＤＳＰ８８からの信号Ｓａにコサイン波ｃｏｓ（ωｔ）を乗算することでチャネルｃｈ１（Ａ）の信号を分離し、ＤＳＰ８８からの信号Ｓａにサイン波ｓｉｎ（ωｔ）を乗算することでチャネルｃｈ２（Ａ）の信号を分離する。ＯＦＤＭ復調装置９４は、ＯＦＤＭ変調装置２０ａとは逆の処理（Ｓ／Ｐ変換、ＦＦＴ及びデジタル復調）により、チャネルｃｈ１（Ａ），ｃｈ２（Ａ）の信号からデータＤＡＴＡ−Ａを復調する。電気ＩＱ分離及びＯＦＤＭ復調の構成と動作は周知であるので、詳細な説明を省略する。
【００３０】
同様に、電気ＩＱ分離装置９２は、ＤＳＰ８８からの信号Ｓｂにコサイン波ｃｏｓ（ωｔ）を乗算することでチャネルｃｈ１（Ｂ）の信号を分離し、ＤＳＰ８８からの信号Ｓｂにサイン波ｓｉｎ（ωｔ）を乗算することでチャネルｃｈ２（Ｂ）の信号を分離する。ＯＦＤＭ復調装置９６は、ＯＦＤＭ変調装置２０ｂとは逆の処理（Ｓ／Ｐ変換、ＦＦＴ及びデジタル復調）により、チャネルｃｈ１（Ｂ），ｃｈ２（Ｂ）の信号からデータＤＡＴＡ−Ｂを復調する。
【００３１】
電気ＩＱ多重の前にＯＦＤＭ変調を行う実施例を説明したが、ＯＦＤＭ変調の代わりに、その他のＲＦ多重、例えば、ＳＣＭを使っても良いし、ＳＣＭとＯＦＤＭの組み合わせを使っても良い。
【実施例２】
【００３２】
図３は、４チャネルのデータＤ１，Ｄ２，Ｄ３，Ｄ４を電気ＩＱ多重及び光ＩＱ多重により伝送する光伝送システムの実施例の概略構成ブロック図を示す。
【００３３】
光送信装置１１０は、データＤ１，Ｄ２，Ｄ３，Ｄ４を電気ＩＱ多重及び光ＩＱ多重により多重した光信号を生成し、光ファイバ伝送路１１２に出力する。より詳細に説明すると、Ｄ／Ａ変換器１３４ａはデータＤ１をアナログ信号に変換し、Ｄ／Ａ変換器１３６ａはデータＤ２をアナログ信号に変換する。乗算器１３８ａは、Ｄ／Ａ変換器１３４ａの出力信号にコサイン波ｃｏｓ（ωｔ）を乗算することにより、Ｄ／Ａ変換器１３４ａの出力信号をアップコンバートする。また、乗算器１４０ａは、Ｄ／Ａ変換器１３６ａの出力信号にサイン波ｓｉｎ（ωｔ）を乗算することにより、Ｄ／Ａ変換器１３６ａの出力信号をアップコンバートする。混合器１４２ａは、乗算器１３８ａ，１４０ａの出力信号を混合又は多重する。これで、データＤ１，Ｄ２が、電気的に同相（Ｉ）成分と直交（Ｑ）成分で多重される。
【００３４】
同様に、Ｄ／Ａ変換器１３４ｂはデータＤ３をアナログ信号に変換し、Ｄ／Ａ変換器１３６ｂはデータＤ４をアナログ信号に変換する。乗算器１３８ｂは、Ｄ／Ａ変換器１３４ｂの出力信号にコサイン波ｃｏｓ（ωｔ）を乗算することにより、Ｄ／Ａ変換器１３４ｂの出力信号をアップコンバートする。また、乗算器１４０ｂは、Ｄ／Ａ変換器１３６ｂの出力信号にサイン波ｓｉｎ（ωｔ）を乗算することにより、Ｄ／Ａ変換器１３６ｂの出力信号をアップコンバートする。混合器１４２ｂは、乗算器１３８ｂ，１４０ｂの出力信号を混合又は多重する。これで、データＤ３，Ｄ４が、電気的に同相（Ｉ）成分と直交（Ｑ）成分で多重される。
【００３５】
実施例１と同様に、データＤ１，Ｄ２に対する電気ＩＱ多重の角周波数は、データＤ３，Ｄ４に対する電気ＩＱ多重の角周波数と一致していなくてもよい。
【００３６】
レーザダイオード（ＬＤ）１４４は光キャリアとなるコヒーレントなレーザ光を発生し、その出力光は、マッハツェンダ（ＭＺ）干渉計構造を利用する光ＩＱ多重装置１４６に供給される。即ち、光ＩＱ多重装置１４６の光分波器１４８が、ＬＤ１４４の出力光を２分割して、一方を第１のアーム上の光変調器１５０に印加し、他方を第２のアーム上の光変調器１５２に印加する。第２のアーム上には、光位相をπ／２だけシフトする位相シフタ１５４が配置される。光変調器１５０は、混合器１４２ａの出力電気信号Ｓａに従い、光分波器１４８からのレーザ光を変調する。他方、光変調器１５２は、混合器１４２ｂの出力電気信号Ｓｂに従い、光分波器１４８からのレーザ光を変調する。位相シフタ１５４は、光変調器１５２の出力光の光位相をπ／２だけシフトする。光合波器１５６は、光変調器１５０の出力光と位相シフタ１５４の出力光を合波する。これにより、信号Ｓａを光Ｉ成分で搬送し、信号Ｓｂを光Ｑ成分で搬送する光ＩＱ多重信号が生成され、この光ＩＱ多重信号が、光ファイバ伝送路１１２に出力される。
【００３７】
光変調器１５０，１５２は、実施例１の光変調器５０，５２と同様に、リチウムニオブ結晶等の光学結晶、半導体、又は、これらの光学素子を使用するＭＺ干渉計型光変調器であってもよい。
【００３８】
光ファイバ伝送路１１２を伝搬した光信号は、光受信装置１１４に入力する。光ＩＱ分離装置１６０は実施例１の素子６２〜８８からなり、信号Ｓａ，Ｓｂを分離及び等化する。電気ＩＱ分離装置１６２は、光ＩＱ分離装置１６０の出力信号Ｓａから、電気ＩＱ多重の各成分データＤ１，Ｄ２を分離し、出力する。また、電気ＩＱ分離装置１６４は、光ＩＱ分離装置１６０の出力信号Ｓｂから、電気ＩＱ多重の各成分データＤ３，Ｄ４を分離し、出力する。
【００３９】
データＤ１，Ｄ２は、同じデータから分離生成された成分、例えば、実数成分と虚数成分であってもよい。同様に、データＤ３，Ｄ４は、同じデータから分離生成された成分、例えば、実数成分と虚数成分であってもよい。
【００４０】
データＤ１，Ｄ３が、同じデータから分離生成された成分、例えば、実数成分と虚数成分であってもよく、データＤ２，Ｄ４が、同じデータから分離生成された成分、例えば、実数成分と虚数成分であってもよい。
【実施例３】
【００４１】
実施例１では、２つのデータＤＡＴＡ−Ａ，ＤＡＴＡ−Ｂを電気ＩＱ多重と光ＩＱ多重を併用して、伝送した。しかし、電気段階で周波数分割多重を利用することにより、更に多くのデータを伝送でき、スペクトル効率を更に増大できる。
【００４２】
図４は、合計２ｎチャネルのデータＤＡＴＡ−Ａ−１〜ＤＡＴＡ−Ａ−ｎ，ＤＡＴＡ−Ｂ−１〜ＤＡＴＡ−Ｂ−ｎを伝送可能な実施例の概略構成ブロック図を示す。光送信装置２１０は、合計２ｎチャネルのデータＤＡＴＡ−Ａ−１〜ＤＡＴＡ−Ａ−ｎ，ＤＡＴＡ−Ｂ−１〜ＤＡＴＡ−Ｂ−ｎを搬送する光信号を生成して、光ファイバ伝送路２１２に出力する。光受信装置２１４は、光ファイバ伝送路２１２から光信号を受信し、データＤＡＴＡ−Ａ−１〜ＤＡＴＡ−Ａ−ｎ，ＤＡＴＡ−Ｂ−１〜ＤＡＴＡ−Ｂ−ｎを復元する。
【００４３】
光送信装置２１０では、ＯＦＤＭ変調器２２０ａ−１は、データＤＡＴＡ−Ａ−１をＯＦＤＭ変調する。電気ＩＱ多重装置２２２ａ−１は、ＯＦＤＭ変調器２２０ａ−１から出力されるＯＦＤＭ変調された信号を、角周波数ωａ１でＩ成分とＱ成分に分離して多重する。ＯＦＤＭ変調器２２０ａ−１は図１に示す実施例のＯＦＤＭ変調器２０ａに対応し、電気ＩＱ多重装置２２２ａ−１は、図１に示す実施例の素子２８ａ〜４２ａからなる部分に対応する。
【００４４】
同様に、ＯＦＤＭ変調器２２０ａ−ｎは、データＤＡＴＡ−Ａ−ｎをＯＦＤＭ変調する。電気ＩＱ多重装置２２２ａ−ｎは、ＯＦＤＭ変調器２２０ａ−ｎから出力されるＯＦＤＭ変調された信号を、角周波数ωａｎでＩ成分とＱ成分に分離して多重する。電気ＩＱ多重装置２２２ａ−１〜２２２ａ−ｎは互いに異なる角周波数ωｂ１〜ωａｎを使用する。
【００４５】
多重装置２２４ａは、電気ＩＱ多重装置２２２ａ−１〜２２２ａ−ｎの出力電気信号を周波数ドメインで多重する。多重装置２２４ａが混合器４２ａの機能を兼ねるので、電気ＩＱ多重装置２２２ａ−１〜２２２ａ−ｎから混合器４２ａに対応する回路を省略しても良い。
【００４６】
同様に、ＯＦＤＭ変調器２２０ｂ−１〜２２０ｂ−ｎはそれぞれ、データＤＡＴＡ−Ｂ−１〜ＤＡＴＡ−Ｂ−ｎをＯＦＤＭ変調する。電気ＩＱ多重装置２２２ｂ−１〜２２２ｂ−ｎはそれぞれ、ＯＦＤＭ変調器２２０ｂ−１〜２２０ｂ−ｎから出力されるＯＦＤＭ変調された信号を、角周波数ωｂ１〜ωｂｎでＩ成分とＱ成分に分離して多重する。角周波数ωｂ１〜ωｂｎは互いに異なる。多重装置２２４ｂは、電気ＩＱ多重装置２２２ｂ−１〜２２２ｂ−ｎの出力電気信号を周波数ドメインで多重する。多重装置２２４ｂが混合器４２ｂの機能を兼ねるので、電気ＩＱ多重装置２２２ｂ−１〜２２２ｂ−ｎから混合器４２ｂに対応する回路を省略しても良い。
【００４７】
レーザダイオード（ＬＤ）２２６は光キャリアとなるコヒーレントなレーザ光を発生し、その出力光は、マッハツェンダ（ＭＺ）干渉計構造を利用する光ＩＱ多重装置２２８に供給される。光ＩＱ多重装置２２８は、図１に示す光ＩＱ多重装置４６と同様の構成からなる。光ＩＱ多重装置２２８は、ＬＤ２２６の出力光を使って、多重装置２２４ａの出力電気信号Ｓａを光Ｉ成分で搬送し、多重装置２２４ｂの出力電気信号Ｓｂを光Ｑ成分で搬送する光ＩＱ多重信号を生成する。この光ＩＱ多重信号が、光ファイバ伝送路２１２に出力される。
【００４８】
光ファイバ伝送路２１２を伝搬した光信号は、光受信装置２１４に入力する。光ＩＱ分離装置２４０は、光ＩＱ分離装置１６０と同様に、実施例１の素子６２〜８８からなり、信号Ｓａ，Ｓｂを分離及び等化する。
【００４９】
分離装置２４２ａ、電気ＩＱ分離装置２４４ａ−１〜２４４ａ−ｎ及びＯＦＤＭ復調器２４６ａ−１〜２４６ａ−ｎが、光ＩＱ分離装置２４０の出力信号Ｓａから、データＤＡＴＡ−Ａ−１〜ＤＡＴＡ−Ａ−ｎを復元する。
【００５０】
具体的には、分離装置２４２ａは、光ＩＱ分離装置２４０の出力信号Ｓａから、角周波数ωａ１〜ωａｎで搬送される信号成分を分離し、分離した信号成分をそれぞれ電気ＩＱ分離装置２４４ａ−１〜２４４ａ−ｎに供給する。
【００５１】
電気ＩＱ分離装置２４４ａ−１は、角周波数ωａ１のサイン波及びコサイン波を使って、Ｉ成分とＱ成分を分離する。ＯＦＤＭ復調器２４６ａ−１は、電気ＩＱ分離装置２４４ａ−１の出力信号をＯＦＤＭ復調して、データＤＡＴＡ−Ａ−１を復元する。同様に、電気ＩＱ分離装置２４４ａ−ｎは角周波数ωａｎのサイン波及びコサイン波を使ってＩ成分とＱ成分を分離し、ＯＦＤＭ復調器２４６ａ−ｎは、電気ＩＱ分離装置２４４ａ−ｎの出力信号をＯＦＤＭ復調して、データＤＡＴＡ−Ａ−ｎを復元する。
【００５２】
同様に、分離装置２４２ｂ、電気ＩＱ分離装置２４４ｂ−１〜２４４ｂ−ｎ及びＯＦＤＭ復調器２４６ｂ−１〜２４６ｂ−ｎが、光ＩＱ分離装置２４０の出力信号Ｓｂから、データＤＡＴＡ−Ｂ−１〜ＤＡＴＡ−Ｂ−ｎを復元する。
【００５３】
角周波数ωａｉは、角周波数ωｂｉと等しくて良いし、異なっても良い。但し、ｉは１〜ｎである。また、多重装置２２４ａの多重周波数の数と、多重装置２２４ｂの多重周波数の数は異なっても良い。
【００５４】
ＯＦＤＭ変調器２２０ａ−１〜２２０ａ−ｎ，２２０ｂ−１〜２２０ｂ−ｎの代わりに、その他の変調器を使用しても良い。
【００５５】
また、送信すべきデータ信号を直接、電気ＩＱ多重装置２２２ａ−１〜２２２ａ−ｎ，２２２ｂ−１〜２２２ｂ−ｎに入力しても良い。これは、図３に示す実施例の加算器１４２ａ，１４２ｂを周波数多重装置に変更し、別の角周波数の電気ＩＱ多重信号を多重するようにした構成に相当する。
【実施例４】
【００５６】
光受信装置１４，１１４，２１４の光ＩＱ分離と等化の構成では、ＤＳＰ８８はＲＦ信号帯域で動作しなければならない。電気ＩＱ分離、即ち、周波数領域でのダウンコンバージョンを先行して実施することで、より低速で動作する等化装置を利用できるようになる。図５は、そのように変更した光受信装置３１４の概略構成ブロック図を示す。光受信装置１４と同じ構成要素には同じ符号を付してある。
【００５７】
実施例１で説明したように、差動増幅器７６は、信号Ｓａに相当する電気信号を出力し、差動増幅器８２は、信号Ｓｂに相当する電気信号を出力する。電気ＩＱ分離装置３８４は、差動増幅器７６の出力信号を角周波数ωでダウンコンバートして、データ信号ｃｈ１（Ａ），ｃｈ２（Ａ）に相当するデータ信号を分離する。同様に、電気ＩＱ分離装置３８６は、差動増幅器８２の出力信号を角周波数ωでダウンコンバートして、データ信号ｃｈ１（Ｂ），ｃｈ２（Ｂ）に相当するデータ信号を分離する。
【００５８】
Ａ／Ｄ変換器３８８ａ，３８８ｂは、電気ＩＱ分離装置３８４の出力信号をデジタル信号に変換して、デジタル信号処理装置３９２に供給する。Ａ／Ｄ変換器３９０ａ，３９０ｂは、電気ＩＱ分離装置３８６の出力信号をデジタル信号に変換して、デジタル信号処理装置（ＤＳＰ）３９２に供給する。この実施例では、Ａ／Ｄ変換器３８８ａ，３８８ｂ，３９０ａ，３９０ｂ及びデジタル信号処理装置３９２は、光ＩＱ多重と電気ＩＱ多重の伝送特性を等化する等化装置として機能する。デジタル信号処理装置３９２は、等化されたデータ信号ｃｈ１（Ａ），ｃｈ２（Ａ）をＯＦＤＭ復調装置９４に出力し、等化されたデータ信号ｃｈ１（Ｂ），ｃｈ２（Ｂ）をＯＦＤＭ復調装置９６に出力する。ＯＦＤＭ復調装置９４は、信号ｃｈ１（Ａ），ｃｈ２（Ａ）からデータＤＡＴＡ−Ａを復調する。ＯＦＤＭ復調装置９６は、信号ｃｈ１（Ｂ），ｃｈ２（Ｂ）からデータＤＡＴＡ−Ａを復調する。
【００５９】
デジタル信号処理装置３９２による等化を電気ＩＱ分離装置の後段に配置する変更は、図３に示す実施例、及び図４に示す実施例の何れにも有効である。
【００６０】
図５に示す構成では４つのＡ／Ｄ変換器３８８ａ，３８８ｂ，３９０ａ，３９０ｂを必要とするが、低速動作のＤＳＰ３９２を利用できる利点が大きい。
【００６１】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００６２】
【図１】本発明の実施例１の光送信装置１０の概略構成ブロック図である。
【図２】実施例１の光受信装置１４の概略構成ブロック図である。
【図３】本発明の実施例２の概略構成ブロック図である。
【図４】本発明の実施例３の概略構成ブロック図である。
【図５】光受信装置の別の構成例の概略構成ブロック図である。
【符号の説明】
【００６３】
１０：光送信装置
１２：光ファイバ伝送路
１４：光受信装置
２０ａ，２０ｂ：ＯＦＤＭ変調器
２２ａ，２２ｂ：デジタル変調器
２４ａ，２４ｂ：逆フーリエ変換（ＩＦＦＴ）回路
２６ａ，２６ｂ：パラレル／シリアル（Ｐ／Ｓ）変換器
２８ａ，２８ｂ：スイッチ
３０ａ，３０ｂ：バッファ
３２ａ，３２ｂ：バッファ
３４ａ，３４ｂ：Ｄ／Ａ変換器
３６ａ，３６ｂ：Ｄ／Ａ変換器
３８ａ，３８ｂ：乗算器
４０ａ，４０ｂ：乗算器
４２ａ，４２ｂ：混合器
４４：レーザダイオード（ＬＤ）
４６：マッハツェンダ（ＭＺ）干渉計（光ＩＱ多重装置）
４８：光分波器
５０：光変調器
５２：光変調器
５４：位相シフタ
５６：光合波器
６０：入力端子
６２：コヒーレントミキサ
６４：光ローカル発振器
６６：光合分波器
６８，７０：ビームスプリッタ
７２，７４：フォトダイオード
７６：差動増幅器
７８，８０：フォトダイオード
８２：差動増幅器
８４，８６：Ａ／Ｄ変換器
８８：デジタル信号処理装置
９０，９２：電気ＩＱ分離装置
９４，９６：ＯＦＤＭ復調装置
１１０：光送信装置
１１２：光ファイバ伝送路
１１４：光受信装置
１３４ａ，１３４ｂ：Ｄ／Ａ変換器
１３６ａ，１３６ｂ：Ｄ／Ａ変換器
１３８ａ，１３８ｂ：乗算器
１４０ａ，１４０ｂ：乗算器
１４２ａ，１４２ｂ：混合器
１４４：レーザダイオード（ＬＤ）
１４６：マッハツェンダ（ＭＺ）干渉計（光ＩＱ多重装置）
１４８：光分波器
１５０：光変調器
１５２：光変調器
１５４：位相シフタ
１５６：光合波器
１６０：光ＩＱ分離装置
１６２，１６４：電気ＩＱ分離装置
２１０：光送信装置
２１２：光ファイバ伝送路
２１４：光受信装置
２２０ａ−１〜２２０ａ−ｎ：ＯＦＤＭ変調器
２２０ｂ−１〜２２０ｂ−ｎ：ＯＦＤＭ変調器
２２２ａ−１〜２２２ａ−ｎ：電気ＩＱ多重装置
２２２ｂ−１〜２２２ｂ−ｎ：電気ＩＱ多重装置
２２４ａ，２２４ｂ：多重装置
２２６：レーザダイオード
２２８：光ＩＱ多重装置
２４０：光ＩＱ分離装置
２４２ａ．２４２ｂ：分離装置
２４４ａ−１〜２４４ａ−ｎ：電気ＩＱ分離装置
２４４ｂ−１〜２４４ｂ−ｎ：電気ＩＱ分離装置
２４６ａ−１〜２４６ａ−ｎ：ＯＦＤＭ復調器
２４６ｂ−１〜２４６ｂ−ｎ：ＯＦＤＭ復調器
３１４：光受信装置
３８４，３８６：電気ＩＱ分離装置
３８８ａ，３８８ｂ，３９０ａ，３９０ｂ：Ａ／Ｄ変換器
３９２：デジタル信号処理装置
【図１】
2008211713.tif 000003
【図２】
2008211713.tif 000004
【図３】
2008211713.tif 000005
【図４】
2008211713.tif 000006
【図５】
2008211713.tif 000007